(57)【特許請求の範囲】
【請求項１】
医用検査機器と、検体を撮影する医用検査機器により検査するための条件を少なくとも含む検査プロトコルを提供する医用管理装置とを備えた医用装置において、
前記医用管理装置は、
複数の前記検査プロトコルがそれらの使用目的、及び、使用実績情報もしくは撮影画像の画質を表す情報を含む評価情報と共に対応付けて保存するプロトコルデータベースと、
前記プロトコルデータベース内に保存された前記検査プロトコルを前記医用検査機器からの検索要求に応じて検索を行うプロトコル検索手段と、
前記医用検査機器からの検索要求に応じて検索した複数の前記検査プロトコルの前記使用実績情報又は前記評価情報に基づいて前記検査プロトコルの分布を示すグラフを作成する第一グラフ作成手段と、
を備え、前記グラフを基に前記医用検査機器で前記検査プロトコルを選択可能にしたことを特徴とする医用装置。
【請求項２】
前記医用検査機器と前記医用管理装置とは、ネットワークで通信可能に接続され、
前記医用管理装置は、前記第一グラフ作成手段が作成したグラフを表示可能に、且つ該グラフから前記検査プロトコルを選択可能にして前記医用検査機器へ送り、該医用検査機器により選択されたときは、前記選択された検査プロトコルを前記プロトコルデータベースから読み出して、前記医用検査機器へ送信することを特徴とする請求項１に記載の医用装置。
【請求項３】
前記医用検査機器と前記医用管理装置とは、ネットワークで通信可能に接続され、
前記医用検査機器は、前記医用管理装置の代わりに前記第一グラフ作成手段を備え、前記第一グラフ作成手段が作成したグラフを自己の表示手段へ前記検査プロトコルを選択可能に表示させ、
前記医用管理装置は、前記医用検査機器により選択されたとき、その選択された検査プロトコルを指定して、前記プロトコルデータベースから読み出して前記医用検査機器へ送信することを特徴とする請求項１に記載の医用装置。
【請求項４】
前記プロトコルデータベースは、複数の前記検査プロトコルをそれらの使用目的、作成者及び使用実績情報もしくは評価情報と共に対応付けて保存し、
前記第一グラフ作成手段は、前記医用検査機器からの検索要求に応じて検索した複数の前記検査プロトコルの前記使用実績情報又は前記評価情報に基づいたグラフであって、該検査プロトコルの作成者を識別可能なグラフを作成する構成とし、
前記医用検査機器により前記作成者を基に前記検査プロトコルが選択可能にされたことを特徴とする請求項２又は３に記載の医用装置。
【請求項５】
前記医用管理装置は、複数の前記医用検査機器に前記ネットワークで通信可能に接続されており、選択された前記検査プロトコルを前記複数のうち全部又は一部に送信することを特徴とする請求項２、３又は４に記載の医用装置。
【請求項６】
前記プロトコル検索手段は、使用目的に応じた検索要求を受けて、該使用目的に該当する検査プロトコルを検索し、
前記第一グラフ作成手段は、検査プロトコルの実績情報または評価情報の座標上に前記使用目的に該当する検査プロトコルが分布するグラフを作成し、
前記医用検査機器は、
前記検体を撮影する撮影手段と、
表示手段と操作手段とを有し、該グラフを前記表示手段に表示させるとともに、該表示されたグラフ上に分布する検査プロトコルから前記操作手段により所望の検査プロトコルが選択されたとき、選択された該所望のプロトコルを前記医用管理装置に対して要求するユーザインタフェースと、
該要求に応じて前記医用管理装置から送られてきた該所望のプロトコルを記憶するプロトコル記憶手段と、
該プロトコル記憶手段に記憶され該所望の検査プロトコルを基に、前記撮影手段を制御する制御手段と、を備えたことを特徴とする請求項１に記載の医用装置。
【請求項７】
前記医用検査機器と前記医用管理装置とが、一体的に構成されたことを特徴とする請求項１に記載の医用装置。
【請求項８】
前記第一グラフ作成手段は、一方を前記撮影画像の画質を表す情報とし、他方を前記検査時間、前記Ｘ線の強度を示す線量、又は前記ダウンロード回数の中の何れか一つとする二次元の座標上に検査プロトコルの分布を示すグラフを作成することを特徴とする請求項６に記載の医用装置。
【請求項９】
医用検査機器と、被検体を撮影する医用検査機器により検査するための条件を少なくとも含む検査プロトコルを提供する医用管理装置を備えた医用装置において、
前記医用管理装置は、
複数の前記検査プロトコルがそれらの使用目的、及び、使用実績情報もしくは撮影画像の画質を表す情報を含む評価情報と共に対応付けて保存され、登録又は修正若しくは削除の要求に対して書き換えられるプロトコルデータベースと、
グラフ記憶手段と、
前記複数の検査プロトコルの使用目的及び前記使用実績情報もしくは前記評価情報に基づいて前記検査プロトコルの分布を示すグラフを作成して前記グラフ記憶手段に記憶させ、前記書き換えに応じて該グラフ記憶手段に記憶されたグラフを更新する第二グラフ作成手段と、
前記医用検査機器からの前記検査プロトコルの使用目的に基づく検索要求を受けて、前記グラフ記憶手段から該使用目的に該当するグラフを検索して、該医用検査機器へ送らせるプロトコル検索手段と、
を備え、前記グラフを基に前記医用検査機器で前記検査プロトコルを選択可能にしたことを特徴とする医用装置。
【請求項１０】
前記第二グラフ作成手段は、前記使用目的毎に、検査プロトコルの実績情報または評価情報で示される座標上に複数の検査プロトコルが分布するグラフを作成し、
前記医用検査機器は、
検体を撮影する撮影手段と、
表示手段と操作手段とを有し、前記プロトコル検索手段により検索されたグラフを前記表示手段に表示させるとともに、該表示されたグラフ上に分布する検査プロトコルから前記操作手段により所望の検査プロトコルが選択されたとき、選択された該所望のプロトコルを前記医用管理装置に対して要求するユーザインタフェースと、
該要求に応じて前記医用管理装置から送られてきた該所望のプロトコルを記憶するプロトコル記憶手段と、
該プロトコル記憶手段に記憶され該所望の検査プロトコルを基に、前記撮影手段を制御する制御手段と、を備えたことを特徴とする請求項９に記載の医用装置。
【請求項１１】
検体を撮影する医用検査機器により検査するための条件を少なくとも含む検査プロトコルを提供する医用管理装置から、前記医用検査機器側より所望の検査プロトコルを取得するための検査プロトコル取得方法であって、
前記医用管理装置が、複数の前記検査プロトコルを、それらの使用目的、及び、使用実績情報もしくは撮影画像の画質を表す情報を含む評価情報と共に対応付けて、プロトコルデータベースとして保存する保存段階と、
前記医用検査機器から入力される該医用検査機器の機種及び前記検体を検査する目的を含む前記使用目的を受ける受付段階と、
前記プロトコルデータベースを基に、該使用目的に該当する検査プロトコルが前記使用実績情報もしくは前記評価情報に基づく座標上に分布するグラフを作成して、前記医用検査機器に表示させるグラフ作成表示段階と、
表示された前記グラフの該検査プロトコルの分布から所望の検査プロトコルが選択される段階と、
選択された前記所望の検査プロトコルをそれに基づいて前記撮影を行うために医用検査機器にロードするプロトコル記憶段階と、を備えたことを特徴する検査プロトコル取得方法。
【発明の詳細な説明】
【技術分野】
【０００１】
本発明は、医用検査機器で利用される検査用のプロトコルを提供することが可能な医用装置及び検査プロトコル取得方法に関するものである。
【背景技術】
【０００２】
従来から医療分野では、医用検査機器を動作させる条件を含む検査用のプロトコル（医用検査機器メーカー及びユーザ等によって呼び名は様々である。例えば、「撮影プロトコル」という場合もある。ここでは、「検査プロトコル」に統一する。）を、医師や技師等といったユーザがネットワーク越しに共有利用することができる検査プロトコルの提供システムがある。これは、ユーザが独自に作成した検査プロトコル、或いはベンダー等により提供された検査プロトコル等を複数、登録し、その登録されている検査プロトコルをダウンロードして撮影に用いることができるシステムである。
【０００３】
特許文献１に記載の発明は、ユーザは検査プロトコルと、その検査プロトコルを利用して撮影された代表的な画像とを、共に検査プロトコル提供システムに登録することができ、ユーザがダウンロードする際には、登録されている検査プロトコルとその画像とを表示できることを特徴としている。ユーザは、検査プロトコルの画像により画質等を確認した上で検査プロトコルをダウンロードできるため、画質に関する検査プロトコルの選択する時の失敗をなくすことができる。しかし、検査プロトコルの選択方法は考慮されておらず、ユーザは登録された全ての検査プロトコルの一覧から、目的とする検査プロトコルを検索する必要がある。
【０００４】
また、特許文献２に記載の発明は、検査プロトコルを各種のキーワードで検索し、表示される検査プロトコルを絞り込む機能及び並べ替える機能を有している。しかし、絞り込まれた検査プロトコルが一覧表示されるため、表示された検査プロトコルの違いを読み取ることが困難であり、目的とする検査プロトコルを検索するために多くの時間を要する。よって、検査プロトコルの登録数が多くなると、検索やその検索結果の一覧表から所望の検査プロトコルを探すことに膨大な時間を費やし、更に大量の検索結果が一覧表示されることから、現在利用している検査プロトコルよりも、使用目的（短時間で検査を終了させる、良質な画像を撮像する等）と合致しない検査プロトコルを、誤操作でダウンロードしてしまう危険性がある。
【０００５】
【特許文献１】特開２００３−５２６６０号公報
【特許文献２】特開２００４−１５４５６０号公報
【発明の開示】
【発明が解決しようとする課題】
【０００６】
そこで本発明は、検査プロトコルが保存されているデータベースに登録された複数の検査プロトコルの中から、ユーザが所望する検査プロトコルを容易に取得可能にする技術を提供することを目的としている。
【課題を解決するための手段】
【０００７】
上記の目的を達成するために、請求項１に記載の発明は、医用検査機器と、検体を撮影する医用検査機器により検査するための条件を少なくとも含む検査プロトコルを提供する医用管理装置とを備えた医用装置において、
前記医用管理装置は、
複数の前記検査プロトコルがそれらの使用目的、及び、使用実績情報もしくは撮影画像の画質を表す情報を含む評価情報と共に対応付けて保存するプロトコルデータベースと、
前記プロトコルデータベース内に保存された前記検査プロトコルを前記医用検査機器からの検索要求に応じて検索を行うプロトコル検索手段と、
前記医用検査機器からの検索要求に応じて検索した複数の前記検査プロトコルの前記使用実績情報又は前記評価情報に基づいて前記検査プロトコルの分布を示すグラフを作成する第一グラフ作成手段と、
を備え、前記グラフを基に前記医用検査機器で前記検査プロトコルを選択可能にしたことを特徴とする。
【０００８】
また、請求項９に記載の発明は、医用検査機器と、被検体を撮影する医用検査機器により検査するための条件を少なくとも含む検査プロトコルを提供する医用管理装置を備えた医用装置において、
前記医用管理装置は、
複数の前記検査プロトコルがそれらの使用目的、及び、使用実績情報もしくは撮影画像の画質を表す情報を含む評価情報と共に対応付けて保存され、登録又は修正若しくは削除の要求に対して書き換えられるプロトコルデータベースと、
グラフ記憶手段と、
前記複数の検査プロトコルの使用目的及び前記使用実績情報もしくは前記評価情報に基づいて前記検査プロトコルの分布を示すグラフを作成して前記グラフ記憶手段に記憶させ、前記書き換えに応じて該グラフ記憶手段に記憶されたグラフを更新する第二グラフ作成手段と、
前記医用検査機器からの前記検査プロトコルの使用目的に基づく検索要求を受けて、前記グラフ記憶手段から該使用目的に該当するグラフを検索して、該医用検査機器へ送らせるプロトコル検索手段と、
を備え、前記グラフを基に前記医用検査機器で前記検査プロトコルを選択可能にしたことを特徴とする。
【０００９】
更に、請求項１１に記載の発明は、検体を撮影する医用検査機器により検査するための条件を少なくとも含む検査プロトコルを提供する医用管理装置から、前記医用検査機器側より所望の検査プロトコルを取得するための検査プロトコル取得方法であって、
前記医用管理装置が、複数の前記検査プロトコルを、それらの使用目的、及び、使用実績情報もしくは撮影画像の画質を表す情報を含む評価情報と共に対応付けて、プロトコルデータベースとして保存する保存段階と、
前記医用検査機器から入力される該医用検査機器の機種及び前記検体を検査する目的を含む前記使用目的を受ける受付段階と、
前記プロトコルデータベースを基に、該使用目的に該当する検査プロトコルが前記使用実績情報もしくは前記評価情報に基づく座標上に分布するグラフを作成して、前記医用検査機器に表示させるグラフ作成表示段階と、
表示された前記グラフの該検査プロトコルの分布から所望の検査プロトコルが選択される段階と、
選択された前記所望の検査プロトコルをそれに基づいて前記撮影を行うために医用検査機器にロードするプロトコル記憶段階と、を備えたことを特徴する。
【発明の効果】
【００１０】
本発明によれば、ユーザの要求に応じて検索した複数の検査プロトコルの使用実績情報又は評価情報に基づいてグラフを作成し、そのグラフの中からユーザが所望する検査プロトコルを選択して取得することが可能である。よって、ユーザは表示されたグラフを見て、所望する検査プロトコルか否かを判断し、そのグラフが表示された画面上で検査プロトコルを選択して取得することができる。
【発明を実施するための最良の形態】
【００１１】
以下、本発明の各実施の形態について、図面を参照して詳細に説明する。
【００１２】
本発明の各実施の形態は、医用検査機器として、例えばＭＲＩ装置を用いることができる。このＭＲＩ装置とは、例えば磁場と高周波信号とコンピュータで画像を作るものであり、一般的には、磁石部と、高周波の送受信部と、寝台と、制御・画像処理部と、コンソール（ネットワークに接続され、モニターとキーボードを有する制御用コンピュータ）とで構成されている。高周波の送受信部の構成要素であるＲＦコイルは、被検体に高周波磁場を加え、次いで人体から放射される微弱な共鳴信号を検出するアンテナの機能を有している。ＲＦコイルは、検査部位（例えば、頭部、頚部）に応じて様々な種別ものがあり、測定条件に応じてサドル形、ソレノイド形、サーフェイスコイル形、バードケイジ形等のコイルが使用される。このＲＦコイルの駆動条件が、撮影パラメータの一種となる。
【００１３】
また、ＭＲＩ装置以外に本発明に適応可能な医用検査機器としては、Ｘ線ＣＴ装置、超音波診断装置、ＰＥＴ装置、Ｘ線撮影装置、及びＣＲ装置等の撮影可能な機器がある。本発明は、以下、これらを代表して、医用検査機器（以下、単に「機器」ということがある。）として説明する。
【００１４】
尚、検査プロトコル（ｐｒｏｔｏｃｏｌ）とは、少なくとも使用目的（例えば、使用する医用検査機器の機種、及び撮影部位を示す情報）に対応した医用検査機器により撮影を行うための撮影パラメータ及びその手順を含むものである。典型的には、撮影シーケンス、撮影手順、撮影パラメータ（項目と値）、及びそれらを特定するためのプロファイル情報を含む。プロファイル情報としては、プロトコルＩＤＮｏ．（識別番号）、作成日付、作成者情報、適用機器種別、適応機器タイプ、プロトコル登録日、検査対象部位、対象検査日付等の少なくとも一部又は全部が含まれ、更に本発明では、所要検査時間、撮影画像の画質評価情報、Ｘ線の強度を示す線量、過去のダウンロード回数等の過去の検査に適用したときの使用実績情報又は評価情報の、何れか少なくとも二つを含む。
【００１５】
［実施の形態１］
（全体及び各部の構成）
本発明の実施の形態１は、図１に示すように、医用検査機器１ａと検査プロトコルを提供する医用管理装置としてのセンターサーバ２ａとを構成要素として含む医用装置である。
【００１６】
医用検査機器１ａとセンターサーバ２ａとは、それぞれが保有する通信手段５ａ１，５ａ２と、例えばインターネット、ＬＡＮ（Ｌｏｃａｌ Ａｒｅａ Ｎｅｔｗｏｒｋ）、ＷＡＮ（Ｗｉｄｅ Ａｒｅａ Ｎｅｔｗｏｒｋ）のようなネットワーク４ａを介して、外部との通信を可能にされている。尚、ネットワーク４ａがインターネットの場合は、セキュリティの観点から、例えばＳＳＬ（Ｓｅｃｕｒｅ Ｓｏｃｋｅｔ Ｌａｙｅｒ Ｐｒｏｔｏｃｏｌ）を利用するのが好ましい。なお、図１の通信手段５ａ１と通信手段５ａ２は、ネットワーク４ａとは別に直接に両者間を結んでいる線があるが、これは情報の出所、行き先を明示するために表記したものであり、実際は、ネットワーク４ａを介して伝達される。以下、図９も同じである。
【００１７】
センターサーバ２ａ（医用管理装置）は、ネットワーク４ａを介して検査プロトコルの登録及び更新（例えば、修正、削除に伴う更新）を行うプロトコル管理手段１６ａと、プロトコル管理手段１６ａにより登録及び更新された検査プロトコルを保存するデータベース１７ａと、表示制御手段８ａからの検索要求に対してデータベース１７ａから保存している検査プロトコルの検索を行うプロトコル検索手段１３ａと、プロトコル検索手段１３ａが検索した検査プロトコルを読出してグラフを作成する第一グラフ作成手段１４ａと、グラフを見たユーザによって選択された検査プロトコルをデータベース１７ａから読み出してプロトコル記憶手段１２ａへ送信するプロトコル読出手段１５ａとを含んで構成されている。
【００１８】
データベース１７ａ（図示していないが、記憶手段に記憶されている。）は、図６に示すように、上述した検査プロトコルを、データベース化して検索又は選択可能に記憶している。図６は、その検査プロトコルに含まれる撮影シーケンスを含む条件等を特定するためのプロファイル情報を、項目ごとにまとめて表に示したものである。
【００１９】
図６のデータベース１７ａには、使用目的を表す情報を含む。つまり、使用目的としては、少なくとも検査プロトコルを使用する機器である医用検査機器の機種、その型、さらに検査プロトコルを患者のどの部位に対して何を検査する目的を表す情報が含まれる（中でも機種と部位は必要な情報である。）。さらに、データベース１７ａには、使用実績情報、評価情報及びプロトコル作成者が含まれる。図６中の所要の検査時間（ｈ）、Ｘ線の強度を示す線量（Ｇｒ）、利用コイル、及びダウンロード回数は、過去の実施に基づく使用実績情報である。検査時間（ｈ）等は、プロトコル管理手段１６ａによって検査プロトコルをデータベース１７ａに登録するときに、過去に実施したときの検査時間が入力されたものである。線量（Ｇｒ）は、Ｘ線の照射量を示す。利用コイルは、例えばＭＲＩ装置の場合、多くのＲＦコイルを有するので、過去に使用したコイルの種別を示す。ダウンロード回数は、センターサーバ２ａから医用検査機器１ａに検査プロトコルがダウンロードされる度にその回数をカウントするカウンターを検査プロトコル別に有し、その最新のカウント回数値で更新される構成にされている。また、評価情報である撮影画像の画質評価情報は、過去に撮影した画像を視覚で認識したときの質、特に細かさを、例えば五段階で評価したときの評価値である。尚、図６に示すプロトコルＩＤＮｏ．により引き出される検査プロトコル（図示せず）も併せて記憶している。
【００２０】
プロトコル検索手段１３ａは、ユーザが所望する検査プロトコルを、データベース１７ａから検索するものである。ユーザが操作手段７ａを用いて、入力画面である図３に示す検査プロトコル検索条件の使用目的に応じた各項目（例えば、機器種別、検査目的、プロトコル作成者及び検査対象の部位等）、グラフ作成条件の各項目（例えば、Ｘ軸）に所望の条件を入力する。尚、過去に利用した検査プロトコルをグラフ上に表示し、他の検査プロトコルと比較したい場合等は、図３に示す過去利用検査プロトコルの項目（利用プロトコルＩＤＮｏ．）に、プロトコルＩＤＮｏ．（図６参照）を入力する。この
【００２１】
その入力された条件（使用目的に応じた検索要求）は、表示制御手段８ａからネットワーク４ａ及び通信手段５ａ１，５ａ２を介してプロトコル検索手段１３ａに送信される。プロトコル検索手段１３ａは、データベース１７ａからそのユーザが入力した条件に該当する全ての検査プロトコルを検索する。尚、データベース１７ａから検索された検査プロトコルは、単数及び複数の何れの場合もある。
【００２２】
第一グラフ作成手段１４ａは、前述したプロトコル検索手段１３ａによって検索された検査プロトコルに含まれる撮影シーケンス等を特定するためのプロファイル情報、ユーザが指定したグラフ作成条件、及び過去に利用した検査プロトコルのプロトコルＩＤＮｏ．に基づいて、例えば図４、図５に示すようなグラフを作成するものである。これらのグラフは、ユーザが入力したグラフ作成条件に基づくものであり、ユーザは、例えば座標軸を図６に示すデータベース１７ａに記憶された使用実績情報の範囲内で、自由に決める等をすることができる。また、グラフの表示形式もＸ−Ｙの２次元座標に限らない。
【００２３】
さらに、第一グラフ作成手段１４ａは、図４に示すように、検索された検査プロトコルの作成者をデータベース１７ａから受けて、図４に示すように作成者Ａ（例えば、大学の先生の名称）又は作成者Ｂ（例えば、機器メーカの名称）を識別可能なグラフを作ることもできる。そうすれば、例えば、作成者Ａに着目して検査プロトコルを選択することも可能になる。
【００２４】
作成されたそのグラフと、そのグラフに含まれるプロファイル情報は表示手段６ａに送られ、例えば画面上に表示される。作成されたグラフは、そのグラフに表示されたプロファイル情報を基に、ユーザがそのプロファイル情報を介して所望の検査プロトコルを選択することにより、検査プロトコルの検索を容易にするために用いられるものである。尚、第一グラフ作成手段１４ａは、センターサーバ２ａ内（図１の実線）又は医用検査機器１ａ内（図１の二点鎖線）の何れにあってもよい。表示手段６ａに接続されていれば、その目的（グラフの作成）は果たせるからである。
【００２５】
上記では、図３のようにグラフ作成条件を入力してグラフを作成する例を示したが、本発明としては、図３のグラフ作成条件が無く（つまり、グラフ作成条件を入力するのではなく）、検査プロトコル検索条件（使用目的に応じた検索項目）だけを入力すれば、画質評価、検査時間（ｈ）、ダウンロード回数、Ｘ線の照射量を示す線量（Ｇｒ）の何れかの組合せの座標で構成されるグラフを予め決めておいて、表示させるだけでも良い。また、それらの組合せ、例えば、画質評価対検査時間、画質評価対ダウンロード回数、及び画質評価対Ｘ線の照射量を示す線量等のグラフの何れか一つ又は複数を操作手段７ａで選択できるようにしても良い。なお、グラフとしては、検査時間対Ｘ線の照射量であっても良い。つまり、目的に応じたグラフを選べるようにしても良い。
【００２６】
前述したグラフは、ユーザが使用実績情報又は評価情報に基づいて、自動で作成される。そして、そのグラフを閲覧することにより、例えば、検査プロトコルを画質を優先して選択するか、最短の検査時間を優先して選択する等の選択目的に応じて、容易に判断して選択しやすい。また、ユーザが所望のグラフ作成条件を入力して必要なグラフを作成できる構成にもすることができるので、検査プロトコルに合わせてグラフを作成することが可能となるので、検査プロトコルの数を絞って表示することが可能となり、検査プロトコルを検索する時間を削減することができる。また、表示するプロトコルの数を減らすことができるので、ユーザの誤操作でダウンロードしてしまう危険性を少なくすることができる。
【００２７】
図４に示すグラフは、図６に示すデータベース１７ａ内に保管している検査プロトコル等の集合体を基にして、第一グラフ作成手段１４ａによって作成したグラフである。検査プロトコル等の集合体の中には、検査プロトコルに含まれる撮影シーケンス等や、その撮影シーケンス等を特定するためのプロファイル情報も含まれる。
【００２８】
図４に示すグラフは、検査目的が「下垂体検査」で検査部位が「頭部」に係る検査プロトコルの全て、及び過去に使用した検査プロトコルの利用プロトコルＩＤＮｏ．を基に、プロファイル情報の一部である撮影画像の画質評価情報及び検査時間を用いて作成される。このグラフは、縦軸を画質の良し悪し（５段階評価）で、横軸を所要の検査時間で表した座標に、検査プロトコルの分布を表すように作成され、更に、ユーザが検査プロトコルを容易に選択可能にするために、例えば最小二乗法によって計算された補助線を図中に表示させているので、同一の検査目的の撮影画像の良し悪しと検査時間の分布傾向を知り、プロファイル情報を視覚的に選択し易くすることが可能である。これにより、ユーザが所望する検査プロトコルの取得が容易になる。尚、前述の補助線を表示するか否かは、ユーザによって決定される。補助線を表示させたい場合には、図３に示すグラフ作成条件の項目に、表示させたい補助線の種別を入力する。
【００２９】
尚、図４に示す作成者Ａ及び作成者Ｂとは、各検査プロトコルを作成した者（例えば、医者、技師、メーカー）であり、このグラフ上には作成者を識別可能に検査プロトコルを表示している。また、利用検査プロトコルとは、過去に利用した検査プロトコルを予め指定しておいたものであり、過去に利用した検査プロトコルのＩＤＮｏ．である利用プロトコルＩＤＮｏ．と共に図中に表示されている。例えば、検査プロトコルの検索を行うときに、図３に示す過去利用検査プロトコルの利用プロトコルＩＤＮｏ．の欄に、過去に使用したことのある検査プロトコルのＩＤＮｏ．を入力することにより、グラフ作成手段１４ａが該当するグラフ上の検査プロトコルを三角印で示す。これらはそれぞれプロット（ここでは、グラフ中に表示した検査プロトコルのこと。）及びマーカー（ここでは、マウスの動きに合わせて画面上を移動可能なマークであり、検査プロトコルを指定するために用いる。）の色や形状を変えて表示可能である。
【００３０】
例えば、図４では作成者Ａを丸型のプロットで表し、作成者Ｂを四角型のプロットで表し、及び利用検査プロトコルを三角型のプロットで表している。これは、作成者に着目して検査プロトコルを選択可能にするためである。また、撮影画像の画質評価情報及び過去のダウンロード回数の関係を示すグラフを作成したときに、過去のダウンロード回数が多いプロトコルほど濃い色のプロットで表したり、プロットの形状を三角型、丸形等に変えたりすることも可能である。また、図４の座標上の何れかの検査プロトコルに操作手段７ａによりプロットをマーカーで指定すると、その詳細説明、及び撮影した検体の画像を縮小したサンプル画像を表示する構成にすることもできる。詳細な説明と共にサンプル画像を表示させたのは、ユーザが検査プロトコルを選択しやすくするためである。更に、操作手段７ａにより、マーカーをプロットに指定してクリックすることにより、所望の検査プロトコルを選択できる。尚、図中のマーカーは矢印型であるが、この形状はユーザが分かりやすい形状、色等に適宜変更可能である。
【００３１】
図５に示すグラフは、図４と同様に、図６に示すデータベース１７ａ内にある検査プロトコルの集合体として保管している中から、撮影画像の画質評価情報及び検査時間を用いて、第一グラフ作成手段１４ａによって作成されたグラフである。図５に示すように、図中に補助線を表示させることによって、ユーザが検査プロトコルを容易に選択可能にすることができる。この場合の補助線は、図４の補助線とは異なり、例えば、撮影画像の画質評価情報をｘ、検査時間（分）をｙとして、ｘｙ＝ｋという関係が成り立つときの定数ｋの値を２０、３０、４０としたときの各反比例曲線（図５中の補助線）を表示させる。この補助線を表示させるか否かは、図４と同様に、ユーザによって決定される。グラフ中の各補助線同士に挟まれた領域をＡランク、Ｂランク、Ｃランクとしたとき、各検査プロトコルがどの領域内にあるか否かで、例えば、同一の検査目的で撮影した画像の良し悪し（画質）を判断する際の目安とすることが可能である。ここでは、前述した画質と他の要素（図５では検査時間）との関係が、一般的に逆比例の関係にあることを利用して、その程度（定数ｋ）に応じてランク付け（図５ではＡランク、Ｂランク、Ｃランク）し、それを画質の判断基準としている。
【００３２】
尚、図中に示された作成者Ａ、作成者Ｂ、及び利用検査プロトコルは、図４で説明したものと同様のものである。その他、詳細説明やサンプル画像の構成、後述する検査プロトコルの選択方法は図４と同じである。また、図４、図５は一例であり、操作手段７ａにより図３に示すグラフ作成条件を入力する、又はグラフを選択することにより、画質評価対ダウンロード回数、画質評価対線量等のグラフも作成する構成にすることができる。
【００３３】
プロトコル読出手段１５ａは、上述した第一グラフ作成手段１４ａが作成したグラフ（例えば、図４、図５）から、ユーザが所望する検査プロトコルを選択した結果（プロトコルＩＤＮｏ．）を受けて、データベース１７ａからその選択された検査プロトコルを読出すものである。読み出された検査プロトコルの情報はプロトコル記憶手段１２ａに送信され、そこに記憶される。
【００３４】
プロトコル読出手段１５ａは、読み出した検査プロトコルを通信手段５ａ２は、図１に示す医用検査機器１ａ以外に複数の医用検査機器がネットワーク４ａに通信可能に接続されていれば（不図示）、その医用検査機器に送ることもできる。なお、その内の一つの医用検査機器からプロトコル検索手段１３ａに要求のあった場合は、その医用検査機器はもちろん、他の同種の検査機器においても予め送るよう請求されていれば、それを宛先として送ることができる。
【００３５】
プロトコル管理手段１６ａは、検査プロトコルをデータベース１７ａへ登録（更新）する操作を制御するものである。また、登録（更新）する操作を行う者は、主としてセンターサーバ２ａの管理者と契約を行っているユーザ（例えば、各機器の保有者）であり、後述するプロトコル管理手段１６ａへの接続を許可された者だけが行うことができる。ユーザが登録（更新）する操作を行うと、プロトコル管理手段１６ａは、その操作信号に基づいて、検査プロトコルをデータベース１７ａに登録（更新）を行う。尚、プロトコル管理手段１６ａは、図１に示すように、センターサーバ２ａ内（図１の一点鎖線）、又はネットワーク４ａを介して外部（図１の実線）の何れに設置されてもよい。データベース１７ａに接続されていれば、その目的（検査プロトコルの登録及び更新）は果たせるからである。
【００３６】
次に、医用検査機器１ａについて説明する。医用検査機器１ａは、ユーザ（例えば医者、技師）に対する情報の表示様式及びユーザのデータ（ここでは、検査プロトコル）入力方式等を規定し、医用検査機器１ａの駆動の操作を行うユーザインターフェース３ａと、プロトコル記憶手段１２ａに記憶された検査プロトコルに従って、撮影手段１０ａを制御する制御手段１１ａと、その撮影を行う撮影手段１０ａと、撮影手段１０ａから送られた撮影情報を受けて検体の画像を再構成する画像形成手段９ａとを含んで構成されている。
【００３７】
プロトコル記憶手段１２ａは、前述したように、ユーザが検査プロトコルを選択した結果を受けてプロトコル読出手段１５ａがデータベース１７ａから読み出した検査プロトコルを記憶するものである。そして、プロトコル記憶手段１２ａは、その選択された検査プロトコルの情報を、制御手段１１ａに送信する。
【００３８】
制御手段１１ａは、プロトコル記憶手段１２ａから送信された、ユーザによって選択された検査プロトコルの情報を受信し、その情報を基に検体の撮影条件を制御するものである。
【００３９】
ユーザインターフェース３ａは、操作手段７ａと、その操作手段７ａからの操作信号に基づいて、画像形成手段９ａから送信された検体の画像等の表示を制御する表示制御手段８ａと、その表示制御手段８ａの制御信号によって検体の画像等を表示する表示手段６ａとを含んで構成されている。
【００４０】
操作手段７ａは、例えばキーボードやマウス等を備え、それらが操作されることで医用検査機器１ａに含まれるコンピュータに情報等を入力し、ユーザが所望する駆動（検査）をさせるための命令を、医用検査機器１ａに送信するものである。
【００４１】
表示制御手段８ａは、操作手段７ａ及び表示手段６ａを介して、ユーザによって操作手段７ａから送られた操作信号（命令）を各構成要素へ伝達するものである。図３のような入力画面はあらかじめ、表示制御手段８ａが用意しておいて、表示してもよい。上記した、マーカ等も表示制御手段８ａで生成、処理している。
【００４２】
表示手段６ａは、例えば液晶モニター、ＣＲＴモニター等の画像等を表示するものである。また、前述したように、その表示制御手段８ａによって検査プロトコル検索画像、グラフ、及び検体の画像等を表示するものである。
【００４３】
（作用・効果）
図２に示すフローチャート図を参照して、本発明の実施の形態１を用いてユーザ（例えば医者、技師）が所望の検査プロトコルを取得する手順について説明する。尚、ここでは、プロトコル管理手段１６ａがセンターサーバ２ａの外に設置され、第一グラフ作成手段１４ａがセンターサーバ２ｂ内に設置されたものを例に挙げて説明を行う。この場合のプロトコル管理手段１６ａは、個別のコンピュータで構成される。
【００４４】
先ず、検査プロトコルの登録及び更新手順から、図２を参照して説明する。
【００４５】
＜ステップＳ１＞検査プロトコルを登録（更新）しようとするユーザは、プロトコル管理手段１６ａからセンターサーバ２ａにアクセスする。この際、センターサーバ２ａは、ユーザが契約によって利用可能であるか否か確かめるために、例えば、パスワードを要求する。ユーザがパスワードを入力すると、センターサーバ２ａは認証を行い、ユーザはセンターサーバ２ａの利用を許可される。
【００４６】
＜ステップＳ２＞センターサーバ２ａは、プロトコル管理手段１６ａに対して、例えば検査プロトコルの登録及び更新画面を表示させる。
【００４７】
＜ステップＳ３＞例えば、検査プロトコルの登録を行う場合は、その情報を画面の表示に従って入力する。その入力すべき情報としては、図６のデータベースに記憶されるプロファイル情報、及び該当する検査プロトコルである。入力が終了し、入力した内容を確認した後、内容を確定する。それにより、登録が完了した後、登録画面を終了させる。尚、更新を行う場合でも、基本的な入力操作は同様である。
【００４８】
次に、検査プロトコルのプロファイル情報を用いてグラフを作成する手順について、図２から図６を参照して説明する。尚、このグラフを作成する手順は、前述した検査プロトコルの登録及び更新手順を終了した後に続けて行うものではなく、状況に応じてユーザが両手順の連続又は非連続を選択するものである。また、特に図面の指定がない場合は、図２を参照して説明しているものとする。
【００４９】
＜ステップＳ４＞検査プロトコルを使用しようとするユーザは、操作手段７ａを操作して表示制御手段８ａから検索開始指示（制御信号）をプロトコル検索手段１３ａへ送る。この場合も、ステップＳ１と同様にセンターサーバ２ａは、ユーザが契約によって利用可能であるか否か確かめるために、例えば、パスワードを要求する。
【００５０】
＜ステップＳ５＞ユーザがパスワードを入力すると、センターサーバ２ａは認証を行い、ユーザは利用を許可される。尚、プロトコル管理手段１６ａがセンターサーバ２ａ内にある場合であって同一人が検査プロトコルの登録と使用をする場合は一度認証を受ければよく、医用検査機器８ａを立ち上げている間は、何度も認証を受ける必要はない。
【００５１】
＜ステップＳ６＞センターサーバ２ａの利用が許可されると、例えば、図３に示すような検査プロトコル検索画面２０が表示手段６ａに表示される。
【００５２】
＜ステップＳ７＞ユーザは、図３に示すような画面の表示に従って、所望の検査プロトコルの情報、及びグラフ作成条件を入力する。尚、過去に使用した検査プロトコルを他の検査プロトコルと比較したい場合は、過去に使用した検査プロトコルのＩＤＮｏ．を入力する。これにより、第一グラフ作成手段１４ａは、表示制御手段８ａから送信されたプロファイル情報、即ち、前述した使用実績情報である検査時間、Ｘ線の強度を示す線量、過去のダウンロード回数、及び評価情報である撮影画像の画質評価情報を基にしてグラフを作成する。グラフは、検査プロトコルのプロファイル情報についての二次元の散布図として表示され、前述した使用実績情報と前述した評価情報の関係を示している。図５に示すグラフは、第一グラフ作成手段１４ａによって作成されたグラフの一例である。
【００５３】
＜ステップＳ８＞第一グラフ作成手段１４ａは、作成したグラフ（例えば、図４、図５に示すグラフ）を表示制御手段８ａに送信する。
【００５４】
＜ステップＳ９＞同時に、第一グラフ作成手段１４ａは、作成したグラフに含まれる検査プロトコルの情報も表示制御手段８ａに送信する。前述したグラフ及びそのグラフに含まれる検査プロトコルの情報を受信した表示制御手段８ａは、ユーザが操作手段７ａによって図３に示すグラフ表示ボタン２１を押すことで発信される操作信号を受けて、表示手段６ａにそのグラフを表示するように制御を行う。これにより、表示手段６ａにそのグラフが表示される。ユーザは、前述のグラフ、例えば図５に示すグラフが表示手段６ａに表示された際、グラフ中のプロットにマーカーを合わせる。表示制御手段８ａは、マーカーを合わせた検査プロトコルの検査プロトコルＩＤＮｏ．を、プロトコル読出手段１５ａに送信する。それにより、プロトコル読出手段１５ａがデータベース１７ａから読み出した検査プロトコルのプロファイル情報、及びその撮影画像（サンプル画像）をサブ画面として表示することができる（図８参照）。尚、マーカーをプロットから外すと、前述したプロファイル情報及びサンプル画像は画面表示されなくなる。
【００５５】
＜ステップＳ１０＞そして、マーカーを合わせた検査プロトコルをクリックする（操作手段７ａによって操作される）と、検査プロトコルが確定される。検査プロトコルが確定されると、その操作信号が表示制御手段８ａに送信され、それに基づいた制御信号がプロトコル読出手段１５ａに送信される。これにより、プロトコル検索手段１３ｂは、図３に示す検査プロトコル検索画面２０に従って入力された所望の検査プロトコルの情報を基にして、データベース１７ａからその内容に合致する検査プロトコルの全てを検索し、そのプロファイル情報を第一グラフ作成手段１４ａに送信する。
【００５６】
＜ステップＳ１１＞プロトコル読出手段１５ａは、ユーザが確定し、選択した検査プロトコルを、データベース１７ａから読み出し、その読み出した検査プロトコルをプロトコル記憶手段１２ａにダウンロードする。
【００５７】
プロトコル記憶手段１２ａにダウンロードされた検査プロトコルは、制御手段１１ａがその検査プロトコルを用いて撮影手段１０ａを制御し、検体を撮影して画像形成手段９ａによってその検体の画像が形成される。操作手段７ａであるキーボード等によって装置制御部８ａが操作され、それに基づいて形成された画像は表示手段６ａであるモニター画面に表示され、ユーザは検体の撮影画像を見ることが可能になる。
【００５８】
尚、認証するための認証情報（例えば、パスワード）や、図３のプロトコル検索画面のフォーマット等は、予めセンターサーバ２ａに記憶している（図示せず）。また、これらをセンターサーバ２ａではなく、医用検査機器１ａが別に持っていて処理してもよい。
【００５９】
［実施の形態２］
（全体及び各部の構成）
本発明の実施の形態２は、図７に示すように、実施の形態１で説明した医用機器１ａ（図１参照）とセンターサーバ２ａ（図１参照）とが一体的に構成され、医用検査機器１ｂとして実施の形態１で説明した各構成要素（例えば、プロトコル管理手段１６ａ（図１参照））を含んで構成されている。実施の形態１と実施の形態２とは、実施の形態１の構成要素であったネットワーク４ａ（図１参照）及び通信手段５ａ１，５ａ２（図１参照）が、実施の形態２では構成要素として含まれない点で相違する。尚、プロトコル管理手段１６ｂは医用機器装置１ｂ内に含んで構成されている。
【００６０】
また、実施の形態２の各構成要素（例えば、図７に示す制御手段１１ｂ）の機能は、実施の形態１の各構成要素の機能と同じであるので、ここでの説明は省略する。明細書中に記載した数字部と英字部で構成された図中の符号の中の数字部分が同じものは、特に説明をしない限り同じ機能である。例えば、図１に示す医用検査機器１ａと図７に示す医用検査機器１ｂとは同じ機能を有する。尚、符号の中の英字部分は実施の形態ごとに異なり、ａは実施の形態１の、ｂは実施の形態２の、及びｃは実施の形態３の各構成要素であることを示している。以下、実施の形態１とは異なる機能を含む構成要素であるプロトコル管理手段１６ｂ（図７参照）について説明する。
【００６１】
図７に示すプロトコル管理手段１６ｂは、図１に示すプロトコル管理手段１６ａと機能が同一であり、検査プロトコルをデータベース１７ｂに登録（更新）する操作を制御するものである。また、検査プロトコル及びそのプロファイル情報のそれぞれは、図１に示すプロトコル管理手段１ａ（実線）のように、外部から通信手段５ａ２を介して入力しても良いし、手入力でも良い。また、ＣＤ−Ｒ等の外部メモリからダウンロードするようにしても良い。
【００６２】
また、プロトコル管理手段１６ｂが、前述した外部メモリ等に記憶された検査プロトコルをデータベース１７ｂへ登録（更新）する際は、図７に示す操作手段７ｂからの操作信号（命令）を受けた表示制御手段８ｂが制御信号を送る。そして、それを受けたデータベース１７ｂが、前述した外部メモリ等に記憶された検査プロトコルの登録（更新）を行う。
【００６３】
（作用・効果）
図１１に示すフローチャート図を参照して、本発明の実施の形態２を用いてユーザ（例えば医者、技師）が所望の検査プロトコルを取得する手順について説明する。尚、図１１は、図２中に示す符号の英字部のａをｂと読み替えたものが含まれており、それらは図２のセンターサーバ２ａという記載を医用検査機器１ｂと読み替えたものである。つまり、図１のセンターサーバ２ａの機能を図７の医用検査機器１ｂ内に備えたものである。また、図１１のステップＳ４０からステップＳ５０までは、図２のステップＳ１からステップＳ１１までに対応し、同様の動作を示す。よって、上述したプロトコル管理手段１６ｂ以外の構成要素に関しては、その機能は同じであり、作用効果も同じものであるので説明は省略する。ただし、実施の形態２は、外部との通信等に要する処理時間を節減することで、より早く検査プロトコルをユーザに提供することを可能とするものである。以下、プロトコル管理手段１６ｂが関与する、検査プロトコルの登録及び更新手順について、図１１に示すステップＳ５１からステップＳ５３を参照して説明する。
【００６４】
＜ステップＳ５１＞例えば、データベース１７ｂを整理するために検査プロトコルを削除したいユーザは、図８に示すグラフが表示手段６ｂに表示されことを確認する。また、このグラフには「削除キー」（図示せず）が設けられている。先ずユーザは、操作手段７ｂによって「削除キー」を選択する。その選択信号が表示制御手段８ｂに送られ、それを受けた表示制御手段８ｂがプロトコル管理手段１６ｂに制御信号を送る。
【００６５】
＜ステップＳ５２＞その制御信号を受けたプロトコル管理手段１６ｂは、表示手段６ｂに表示しているグラフ（図８参照）を、検査プロトコルの削除グラフに切り替えるための切替信号を制御表示部８ｂに送る。それを受けた制御表示部８ｂは、制御信号を表示手段６ｂに送り、前述の表示しているグラフが検査プロトコルの削除グラフに切り替わるように制御される。
【００６６】
＜ステップＳ５３＞検査プロトコルを削除したいユーザは、そのグラフ中に表示してある削除したいプロットにマーカーを置き、クリックする。操作手段７ｂから操作信号（削除命令）を受けた表示制御手段８ｂは、プロトコル管理手段１６ｂに制御信号を送り、それを受けたプロトコル管理手段１６ｂはデータベース１７ｂからその検査プロトコルを検索して削除するように制御される。
【００６７】
このように、プロトコル管理手段１６ｂはユーザ（例えば、医師、技師）によって、検査プロトコルの登録又は修正若しくは削除の操作を、制御表示部８ｂによって制御されることが可能となるので、データベース１７ｂ内の検査プロトコルの整理をすることができる。また、それによって、機器の処理速度を落とすことなく、容易に所望の検査プロトコルを取得することが可能となる。
【００６８】
［実施の形態３］
（全体及び各部の構成）
本発明の実施の形態３は、図９に示すように、医用検査機器１ｃと、グラフ記憶手段１８ｃを含んだセンターサーバ２ｃ（医用管理装置）とを主たる構成要素として備えた医用装置である。
【００６９】
実施の形態３は、実施の形態１とほぼ同様の構成要素を含んでいるので、ここでは、その相違する構成要素について説明する。実施の形態３は、図９に示すグラフ記憶手段１８ｃを構成要素として含む点で、実施の形態１と相違する。また、第二グラフ作成手段１４ｃには、実施の形態１及び実施の形態２の構成要素である第一グラフ作成手段とは異なる機能を有するので、それについても説明する。それ以外の構成要素については、各実施の形態で説明済みであるので、ここでは省略する。尚、実施の形態１と同様に、プロトコル管理手段１６ｃは、図９に示すように、センターサーバ２ｃ内（図９の実線）、又はネットワーク４ａを介して外部（図９の一点鎖線）の何れに設置されてもよい。ここでは、センターサーバ２ｃ内（図９の実線）にある場合を例に挙げて説明する。
【００７０】
第二グラフ作成手段１４ｃは、実施の形態１，２で説明した検査プロトコルを用いてグラフを作成する機能以外に、図９に示すプロトコル管理手段１６ｃによってその時点でプロファイル情報を登録（追加）又は削除された検査プロトコルを、予め作成され保存されているグラフ（例えば、図８に示すグラフ）に上書きする、又はそのグラフから削除する機能を有するものである。そのグラフは、後述するグラフ記憶手段１８ｃに記憶されており、第二グラフ作成手段１４ｃはデータベース１７ｃに検査プロトコルが登録（追加）されるごとに、グラフ記憶手段１８ｃに記憶されたグラフ群から、登録（追加）された検査プロトコルに対応するグラフを検索し、そのグラフを読み出して検査プロトコルをグラフに上書きし、再度グラフ記憶手段１８ｃに記憶させる。検査プロトコルを削除する場合は、その検査プロトコルに対応するグラフを検索し、そのグラフを読み出して検査プロトコルを選択し、データベース１７ｃから削除され、再度グラフ記憶手段１８ｃに記憶させる。
【００７１】
グラフ記憶手段１８ｃは、例えば図８に示すようなグラフを単数又は複数を予め記憶しており、第二グラフ作成手段１４ｃが検査プロトコルを上書き又は削除して書き換えたグラフを記憶する機能を有するものである。前述した図８に示すグラフは、縦軸を画質の良し悪し（５段階評価）で、横軸を所要の検査時間で表した座標に、検査プロトコルの分布を表すように作成されている。また、検査目的や検査部位等のプロファイル情報毎に検査プロトコルを分別してグラフ化している。つまり、図３に示す検査プロトコル検索条件、及びグラフ作成条件を予め想定した複数のグラフを記憶しておく。登録（追加）された検査プロトコルは、第二グラフ作成手段１４ｃによって、そのプロファイル情報に対応するグラフに上書きされる。検査プロトコルが登録（追加）された場合には、図８に示すように、登録（追加）プロトコルとして三角型のプロットが表示される。また、グラフから削除される場合は、データベース１７ｃから選択された検査プロトコルが削除される。更に、検査プロトコルの検索要求がプロトコル検索手段１３ｃから送られてきた場合には、対応するグラフを表示手段６ｃに送る。よって、上記構成により、グラフ記憶手段１８ｃには、最新のグラフが記憶されている。
【００７２】
（作用・効果）
図１０に示すフローチャート図を参照して、本発明の実施の形態３を用いてユーザ（例えば医者、技師）が所望の検査プロトコルを取得する手順について説明する。尚、実施の形態２と同様に、図１０は図２中に示す符号の英字部のａをｃと読み替えたものであり、上述した第二グラフ作成手段１４ｃ及びグラフ記憶手段１８ｃ以外の構成要素に関しては、その機能及び作用効果は同じものであるので、説明は省略する。以下、第二グラフ作成手段１４ｃ及びグラフ記憶手段１８ｃが関与する、検査プロトコルを用いてグラフを作成（追加）する手順について、図８から図１１を参照して説明する。尚、特に断りが無い限り、図１０を用いて説明することとする。
【００７３】
＜ステップＳ２２＞例えば、ユーザがセンターサーバ２ｃから認証を受け、検査プロトコルの登録画面に入力を終えると、その検査プロトコル及びプロファイル情報は、図９に示すプロトコル管理手段１６ｃによってデータベース１７ｃに登録（追加）される。データベース１７ｃはその登録（追加）されたその通知を、図９に示す第二グラフ作成手段１４ｃに送信する。第二グラフ作成手段１４ｃはその新たに登録（追加）された検査プロトコルのプロファイル情報に対応するグラフを、図９に示すグラフ記憶手段１８ｃから読み出し、そのグラフに登録（追加）された検査プロトコルを上書きする。上書きされたグラフは、グラフ記憶手段１８ｃに送信され、そこに記憶される。
【００７４】
尚、検査プロトコルを削除したい場合は、実施の形態２で説明したように、図１１に示すステップ５１からステップ５３と同様にして削除作業を行う。ただし、ここで使用されるグラフは、図９に示すグラフ記憶手段１８ｃに記憶されているグラフ群からユーザによって選択される。
【００７５】
また、図１０に示すステップＳ２３からステップＳ２５までの手順は、図２に示すステップ４からステップ６までの手順と同様であるので説明を省略し、ここでは、ステップ２６以降について説明する。尚、ステップＳ２５で表示手段６ｃに表示される検査プロトコル表示画面２０内の検査プロトコル検索条件及びグラフ作成条件（図３参照）は、図９に示すグラフ記憶手段１８ｃに記憶されているグラフ群から所望のグラフを読み出すために入力するものである。また、実施の形態１及び２と同様に、補助線を表示するか否かは、ユーザによって決定される。
【００７６】
＜ステップＳ２６＞図９に示す表示手段６ｃであるモニター画面上に表示される検査プロトコル検索画面２０（図３参照）に、図９に示す操作手段７ｃによって入力された、ユーザが所望する検査プロトコルの検索条件を、図９に示す表示制御手段８ｃが、図９に示すプロトコル検索手段１３ｃに送信する。
【００７７】
＜ステップＳ２７＞表示制御手段８ｃから送信された前述の検索条件を受けて、プロトコル検索手段１３ｃが、その検索条件を図９に示すグラフ記憶手段１８ｃへ送信し、送信された検索条件を基にして、グラフ記憶手段１８ｃに記憶されている複数のグラフから該当するグラフを検索する。その検索によって該当するグラフを発見できれば、そのグラフを表示制御手段８ｃへ送信する。
【００７８】
＜ステップＳ２８＞同時に、グラフ記憶手段１８ｃは、グラフに含まれた各検査プロトコルの情報も表示制御手段８ｃへ送信する。
【００７９】
＜ステップＳ２９＞表示制御手段８ｃは、送信されたグラフ、例えば図８に示すグラフに含まれる検査プロトコルを表示手段６ｃへ送信し、画面にグラフを表示させる。このグラフを見たユーザは、所望の検査プロトコルを選択し、グラフ内の検査プロトコルを示すプロットにマーカーを合わせてクリックする。この操作により、検査プロトコルが決定され、その検査プロトコルのプロトコルＩＤＮｏ．（選択信号）が、表示制御手段８ｃから図９に示すプロトコル読出手段１５ｃへ送信される。
【００８０】
＜ステップＳ３０＞プロトコル読出手段１５ｃは、データベース１７ｃから選択されたプロトコルＩＤＮｏ．の検査プロトコルを検索し、合致した検査プロトコルをデータベース１７ｃから読み出してダウンロードする。ダウンロードされた検査プロトコルは、図９に示すプロトコル記憶手段１２ｃに保存される。
【００８１】
プロトコル記憶手段１２ｃに保存された検査プロトコルを用いて、ユーザは検体の撮影を行うことが可能となる。
【００８２】
以上述べたように、本発明の実施の形態３は、予め作成されたグラフに検査プロトコルを登録（追加）する場合は、その登録（追加）ごとに上書きしていくので、検査プロトコル検索時にはグラフ作成時間が短縮でき、それに伴う処理時間も軽減することができる。
【００８３】
なお、上記各発明を検査プロトコルの取得方法という見方からすると、上記実施形態は、大きく次の５段階に分かれるが、最初が使用目的からの検索する段階と、次にグラフ化された検索結果から使用実績を元に所望の検査プロトコルを選択する段階の２段階に別れて、決定するのが特徴である（以下、いずれの上記、実施形態にも適用されることなので、符号省略）。
（１）センターサーバ（医用管理装置）が、複数の前記検査プロトコルをそれらの使用目的及び使用実績情報もしくは評価情報と共に対応付けて、プロトコルデータベースとして保存する保存段階。
（２）医用検査機器から入力される医用検査機器の機種及び検体を検査する目的を含む使用目的を受ける受付段階。
（３）データベースを基に、使用目的に該当する検査プロトコルが使用実績情報もしくは評価情報に基づく座標上に分布するグラフを作成して、医用検査機器に表示させるグラフ作成表示段階。
（４）表示されたグラフの検査プロトコルの分布から所望の検査プロトコルが選択される段階。この場合、ユーザは、表示された座標軸、例えば、その目的からして、画質評価対検査時間を見て、検査時間が長いとしても画質評価値の高い検査プロトコル選択する。
（５）選択された所望の検査プロトコルをそれに基づいて撮影を行うために医用検査機器にロードするプロトコル記憶段階。
【００８４】
尚、上記の各実施の形態は本発明の一例であり、本発明はこれらに限定されるものではない。
【図面の簡単な説明】
【００８５】
【図１】本発明の実施の形態１の医用検査機器及び医用管理装置の構成を示すブロック図である。
【図２】本発明の実施の形態１の医用検査機器及び医用管理装置の動作を表すフローチャート図である。
【図３】本発明の実施の形態１の医用検査機器及び医用管理装置のプロトコルを検索するための条件を入力する画面を示す図である。
【図４】本発明の実施の形態１の医用検査機器及び医用管理装置のグラフ作成手段によって作成されたグラフのサンプルを示す図である。
【図５】本発明の実施の形態１の医用検査機器及び医用管理装置のグラフ作成手段によって作成されたグラフのサンプルを示す図である。
【図６】本発明の実施の形態１の医用検査機器及び医用管理装置のデータベースに保存されている検査プロトコルを示す図である。
【図７】本発明の実施の形態２の医用管理装置を含む医用検査機器の構成を示すブロック図である。
【図８】本発明の実施の形態２の医用管理装置を含む医用検査機器の検査プロトコルを整理するときに表示されるグラフを示す図である。
【図９】本発明の実施の形態３の医用検査機器及び医用管理装置の構成を示すブロック図である。
【図１０】本発明の実施の形態３の医用検査機器及び医用管理装置の動作を表すフローチャート図である。
【図１１】本発明の実施の形態２の医用検査機器及び医用管理装置の動作を表すフローチャート図である。
【符号の説明】
【００８６】
１ａ、１ｂ、１ｃ  医用検査機器
２ａ、２ｂ、２ｃ  センターサーバ
３ａ、３ｂ、３ｃ  ユーザインターフェース
４ａ、４ｃ  ネットワーク
５ａ１、５ａ２、５ｃ１、５ｃ２  通信手段
６ａ、６ｂ、６ｃ  表示手段
７ａ、７ｂ、７ｃ  操作手段
８ａ、８ｂ、８ｃ  表示制御手段
９ａ、９ｂ、９ｃ  画像形成手段
１０ａ、１０ｂ、１０ｃ  撮影手段
１１ａ、１１ｂ、１１ｃ  制御手段
１２ａ、１２ｂ、１２ｃ  プロトコル記憶手段
１３ａ、１３ｂ、１３ｃ  プロトコル検索手段
１４ａ、１４ｂ  第一グラフ作成手段
１４ｃ  第二グラフ作成手段
１５ａ、１５ｂ、１５ｃ  プロトコル読出手段
１６ａ、１６ｂ、１６ｃ  プロトコル管理手段
１７ａ、１７ｂ、１７ｃ  データベース
１８ｃ  グラフ記憶手段
２０  検査プロトコル検索画面
２１  グラフ表示ボタン
【図１】
0004783127.tif 000002
【図２】
0004783127.tif 000003
【図３】
0004783127.tif 000004
【図４】
0004783127.tif 000005
【図５】
0004783127.tif 000006
【図６】
0004783127.tif 000007
【図７】
0004783127.tif 000008
【図８】
0004783127.tif 000009
【図９】
0004783127.tif 000010
【図１０】
0004783127.tif 000011
【図１１】
0004783127.tif 000012